(57)【特許請求の範囲】
【請求項１】
金属物の端面に形成され中心軸線に直交する断面が円形をなすように凹む凹部に配置されるデータキャリアであって情報を記憶したチップと該チップに接続された記憶側アンテナコイルとを合成樹脂からなる外装に埋め込んでなるとともに前記記憶側アンテナコイルが軸線方向を前記凹部の軸線方向に沿わせて該凹部の中心部に配置されるデータキャリアに記憶された情報をアンテナ部で電磁誘導方式によって読み取るデータキャリア読取装置であって、
前記アンテナ部は、円板状のベース部と該ベース部の中心から該ベース部の軸線方向に伸びる形状をなす円柱状の軸部と前記ベース部の外周部から前記軸部と同方向に同軸をなして突出する円筒部とを有し前記軸部の中心を通る断面形状がＥ字型をなす比透磁率の高い芯部材と、該芯部材の前記軸部に巻かれた読取側アンテナコイルとを合成樹脂製の外装内に内蔵することで、前記ベース部および前記円筒部を含む対向部と前記軸部および前記読取側アンテナコイルを含んで前記対向部から突出する挿入部とを有してなり、前記芯部材の少なくとも前記読取側アンテナコイルが巻かれた前記軸部の一部が前記凹部に挿入可能となっていて、
前記アンテナ部の前記挿入部を前記読取側アンテナコイルが巻かれた前記軸部の一部を含んで前記凹部に挿入し、前記対向部を前記端面に対向させ、前記読取側アンテナコイルの軸線を前記記憶側アンテナコイルの軸線に合わせた状態で、前記読取側アンテナコイルを駆動して交流磁界を発生させ、前記記憶側アンテナコイルに誘導起電力を発生させることで前記チップを駆動することを特徴とするデータキャリア読取装置。
【請求項２】
金属物の端面に形成され中心軸線に直交する断面が円形をなすように凹む凹部に配置されるデータキャリアであって情報を記憶したチップと該チップに接続された記憶側アンテナコイルとを合成樹脂からなる外装に埋め込んでなるとともに前記記憶側アンテナコイルが軸線方向を前記凹部の軸線方向に沿わせて該凹部の中心部に配置されるデータキャリアに記憶された情報をアンテナ部で電磁誘導方式によって読み取るデータキャリア読取装置であって、
前記アンテナ部は、全体として軸状をなした比透磁率の高い芯部材と、該芯部材に巻かれた読取側アンテナコイルとを合成樹脂製の外装内に内蔵することで、前記凹部の底部近傍まで挿入可能な棒状をなしており、前記芯部材の少なくとも前記読取側アンテナコイルが巻かれた一部が前記凹部に挿入可能となっていて、
前記アンテナ部を、前記読取側アンテナコイルが巻かれた前記芯部材の一部を含んで前記凹部に挿入し、前記読取側アンテナコイルの軸線を前記記憶側アンテナコイルの軸線に合わせた状態で、前記読取側アンテナコイルを駆動して交流磁界を発生させ、前記記憶側アンテナコイルに誘導起電力を発生させることで前記チップを駆動することを特徴とするデータキャリア読取装置。
【発明の詳細な説明】
【０００１】
【発明の属する技術分野】
本発明は、情報を電磁誘導方式によって読み取るデータキャリア読取装置に関する。
【０００２】
【従来の技術】
例えばグラビア印刷を行う場合、基本的にはイエロー・マゼンタ・シアン・ブラック（いわゆるＹＭＣＫ）の四色それぞれを用紙の上下両面に個別に印刷することになり、このため、合計８本の印刷用シリンダを使用することになる。
【０００３】
このような印刷用シリンダは、外周面に銅メッキが施されるとともに該銅メッキ面に化学処理等で製版が施される中空円筒状のシリンダ本体と、該シリンダ本体の両端に同軸に設けられて、印刷機に支持される軸部とを有しており、所定の印刷に使用された後、版面を形成する銅メッキおよび版面を保護するため銅メッキの表面に施されるクロムメッキとからなるバラードと呼ばれる部分が剥がされ、再度銅メッキが施された後に、製版が行われ、クロムメッキが施されて、次の印刷に使用されることになる。
【０００４】
印刷機の稼働率を上げるためには、所定の印刷を行っている最中に、その後行われる印刷のために印刷用シリンダの製版等の準備を行っておく必要があるため、一台の印刷機に対して、印刷に同時に使用される数を大幅に上回る数の印刷用シリンダが用意されることになり、複数の印刷機を同時に稼働させる場合には、さらに多数の印刷用シリンダが用意される。しかも、印刷機毎に使用可能な印刷用シリンダが決まっている場合もあることから、これら印刷用シリンダの管理が非常に重要になってくる。
【０００５】
そして、従来は、基本的には、印刷用シリンダの軸部にそれぞれ個別のＩＤ番号を刻印し、この刻印されたＩＤ番号を作業者が直接目視で読み取って管理を行っている。
【０００６】
【発明が解決しようとする課題】
ところで、長期にわたる使用によって、印刷時に生じる汚れや製版のため繰り返し行われる化学処理により生じる腐食で、印刷用シリンダの軸部に刻印されたＩＤ番号は読み取りが困難になってしまうという問題があった。そして、このようにＩＤ番号が不明になった場合には、他の印刷用シリンダのＩＤ番号をすべて確認することで不明なＩＤ番号を割り出す以外方法がなく、多大な労力と時間が必要になってしまう。また、刻印であるがために、印刷用シリンダの管理には作業者の目視および入力という不安定な要素が生じ、刻印を作業者が誤って読み取ったり、入力ミスが発生したりするおそれがあり、このようなミスが発生すると、すべての印刷用シリンダのＩＤ番号を再度確認しなければならず、やはり多大な労力と時間が必要になってしまう。
【０００７】
このため、本出願人は、印刷用シリンダの軸部に電磁誘導方式で情報を発信するデータキャリアを配置することを考えた。このような構成にすることで、印刷時の汚れが付いたり化学処理による腐食が生じても、他と識別するためのシリンダ識別情報を常に確実に読み取ることができることになる。
【０００８】
しかしながら、上記のような電磁誘導方式で情報を発信するデータキャリアを採用するに当たっては、以下のような改善すべき点があることに気が付いた。しかも、これらの点は、印刷用シリンダに限られるものではなく、電磁誘導方式で情報を発信するデータキャリアを用いる場合には、共通して生じうる問題点である。
【０００９】
例えば、電磁誘導方式のデータキャリアを磁界に影響を及ぼす金属物に配置する場合、この金属物の影響によって、データキャリア読取装置の読取側アンテナコイルが発生させる交流磁界がデータキャリアの記憶側アンテナコイルまで十分に到達し難く、信頼性の高い読み取りが困難になってくるという問題があった。このため、データキャリアの配置位置をよりデータキャリア読取装置に近接可能な位置にする必要があり、データキャリアの配置位置に制限が生じて実用上の問題が生じることが予想された。
【００１０】
また、データキャリアを配置する部分が、他の部材に支持される場合に、該データキャリアが他の部材に干渉し最悪破損してしまう。
【００１１】
さらに、データキャリアを確実かつ簡単に取り付けることが困難である。
【００１２】
加えて、化学処理等を行う場合に、データキャリアが腐食等の影響を受けて耐久性が悪くなる。
【００１３】
したがって、本発明は、このような問題を解決できるデータキャリア読取装置の提供を目的とする。
【００１４】
【課題を解決するための手段】
上記目的を達成するために、本発明の請求項１記載のデータキャリア読取装置は、金属物の端面に形成され中心軸線に直交する断面が円形をなすように凹む凹部に配置されるデータキャリアであって情報を記憶したチップと該チップに接続された記憶側アンテナコイルとを合成樹脂からなる外装に埋め込んでなるとともに前記記憶側アンテナコイルが軸線方向を前記凹部の軸線方向に沿わせて該凹部の中心部に配置されるデータキャリアに記憶された情報をアンテナ部で電磁誘導方式によって読み取るものであって、前記アンテナ部は、円板状のベース部と該ベース部の中心から該ベース部の軸線方向に伸びる形状をなす円柱状の軸部と前記ベース部の外周部から前記軸部と同方向に同軸をなして突出する円筒部とを有し前記軸部の中心を通る断面形状がＥ字型をなす比透磁率の高い芯部材と、該芯部材の前記軸部に巻かれた読取側アンテナコイルとを合成樹脂製の外装内に内蔵することで、前記ベース部および前記円筒部を含む対向部と前記軸部および前記読取側アンテナコイルを含んで前記対向部から突出する挿入部とを有してなり、前記芯部材の少なくとも前記読取側アンテナコイルが巻かれた前記軸部の一部が前記凹部に挿入可能となっていて、前記アンテナ部の前記挿入部を前記読取側アンテナコイルが巻かれた前記軸部の一部を含んで前記凹部に挿入し、前記対向部を前記端面に対向させ、前記読取側アンテナコイルの軸線を前記記憶側アンテナコイルの軸線に合わせた状態で、前記読取側アンテナコイルを駆動して交流磁界を発生させ、前記記憶側アンテナコイルに誘導起電力を発生させることで前記チップを駆動することを特徴としている。
【００１５】
このように、アンテナ部に設けられた読取側アンテナコイルが比透磁率の高い芯部材に巻かれているため、金属物にデータキャリアが配置されていても、データキャリアの配置位置を浅い位置にせずとも、読取側アンテナコイルが発生させる交流磁界は、該芯部材に導かれてデータキャリアに十分に到達する。
【００１６】
また、芯部材の少なくとも読取側アンテナコイルが巻かれた一部が、データキャリアが配置される金属物の凹部に挿入可能な軸形状をなしているため、芯部材の少なくとも読取側アンテナコイルが巻かれた一部を凹部に挿入することで、芯部材および読取側アンテナコイルがよりデータキャリアに近接することになり、読取側アンテナコイルが発生させる交流磁界は、芯部材に導かれてデータキャリアにさらに十分に到達する。
さらに、芯部材は、読取側アンテナコイルが巻かれた軸部の中心を通る断面形状がＥ字型の部分を有しているため、読取側アンテナコイルが発生させる交流磁界は、Ｅ字型の部分に導かれてデータキャリアにさらに十分に到達する。
【００１７】
本発明の請求項２記載のデータキャリア読取装置は、金属物の端面に形成され中心軸線に直交する断面が円形をなすように凹む凹部に配置されるデータキャリアであって情報を記憶したチップと該チップに接続された記憶側アンテナコイルとを合成樹脂からなる外装に埋め込んでなるとともに前記記憶側アンテナコイルが軸線方向を前記凹部の軸線方向に沿わせて該凹部の中心部に配置されるデータキャリアに記憶された情報をアンテナ部で電磁誘導方式によって読み取るものであって、前記アンテナ部は、全体として軸状をなした比透磁率の高い芯部材と、該芯部材に巻かれた読取側アンテナコイルとを合成樹脂製の外装内に内蔵することで、前記凹部の底部近傍まで挿入可能な棒状をなしており、前記芯部材の少なくとも前記読取側アンテナコイルが巻かれた一部が前記凹部に挿入可能となっていて、前記アンテナ部を、前記読取側アンテナコイルが巻かれた前記芯部材の一部を含んで前記凹部に挿入し、前記読取側アンテナコイルの軸線を前記記憶側アンテナコイルの軸線に合わせた状態で、前記読取側アンテナコイルを駆動して交流磁界を発生させ、前記記憶側アンテナコイルに誘導起電力を発生させることで前記チップを駆動することを特徴としている。
【００１８】
このように、アンテナ部に設けられた読取側アンテナコイルが比透磁率の高い芯部材に巻かれているため、金属物にデータキャリアが配置されていても、データキャリアの配置位置を浅い位置にせずとも、読取側アンテナコイルが発生させる交流磁界は、該芯部材に導かれてデータキャリアに十分に到達する。
また、芯部材の少なくとも読取側アンテナコイルが巻かれた一部が、データキャリアが配置される金属物の凹部に挿入可能な軸形状をなしているため、芯部材の少なくとも読取側アンテナコイルが巻かれた一部を凹部に挿入することで、芯部材および読取側アンテナコイルがよりデータキャリアに近接することになり、読取側アンテナコイルが発生させる交流磁界は、芯部材に導かれてデータキャリアにさらに十分に到達する。
【００３１】
【発明の実施の形態】
まず、参考技術を図１を参照して以下に説明する。
図１において、符号１１は、情報を読み書き可能なデータキャリアを、符号１２は、該データキャリア１１が設けられる管理対象物である印刷用シリンダを、符号１３は、データキャリア１１に電磁誘導方式によって情報を読み書き可能なデータキャリア読書装置（データキャリア読取装置）をそれぞれ示している。
【００３２】
ここで、管理対象物である印刷用シリンダ１２は、具体的にはグラビア印刷等で使用されるものであり、該印刷用シリンダ１２は、外周面に銅メッキが施されるとともに該銅メッキ面にエッチング等の化学処理あるいは彫刻等の機械的処理で製版が施された後、該製版面に強度確保のためにクロムメッキが施される中空円筒状のシリンダ本体１５と、該シリンダ本体１５の両端に同軸に設けられて、印刷機および運搬装置等に支持される金属物からなる支持軸１６（一方のみ図示）とを有している。ここで、支持軸１６は、言い換えれば、印刷用シリンダ１２の少なくとも一部をなす金属物である。
【００３３】
支持軸１６には、シリンダ本体１５に対し反対側の端面から支持軸１６の中心軸線と同軸をなして該中心軸線に直交する断面が円形をなすように凹む凹部１７が形成されている。
【００３４】
データキャリア１１は、データキャリア読書装置１３により電磁誘導方式によって読み取られる情報を記憶した図示せぬチップと、該図示せぬチップに接続された記憶側アンテナコイル１９とを合成樹脂からなる外装２０に埋め込んでなるものである。このデータキャリア１１は、印刷用シリンダ１２の支持軸１６の凹部１７内に配置されており、具体的には、記憶側アンテナコイル１９の軸線方向を支持軸１６の軸線方向に沿わせ、さらに言えば記憶側アンテナコイル１９を支持軸１６の中心部に位置させるようにして凹部１７の底面１７ａに接着剤で貼付されている。
【００３５】
ここで、チップおよび記憶側アンテナコイル１９を被覆する外装２０を構成する合成樹脂は、高温に対する耐温度性能が高く、耐食性詳しくは耐酸性を有するポリプロピレン等が採用されている。そして、データキャリア１１のチップには、該チップが設けられる印刷用シリンダ１２を他の印刷用シリンダ１２に対し識別するためのシリンダ識別情報が記憶されている。
【００３６】
上記した情報を記憶したデータキャリア１１と、該データキャリア１１が配置される凹部１７を有する印刷用シリンダ１２の支持軸１６とでデータキャリア装置２２が構成されている。
【００３７】
データキャリア読書装置１３は、データキャリア１１のチップに記憶された情報を電磁誘導方式によって読み取ったり、データキャリア１１のチップに記憶させる情報を電磁誘導方式によって書き換えたりするアンテナ部２４と、該アンテナ部２４の作動を制御する図示せぬ装置本体とを有しており、アンテナ部２４は、合成樹脂製の外装２５と、該外装２５内に内蔵される芯部材２６とを有している。
【００３８】
芯部材２６は、円板状のベース部２８と、該ベース部２８の中心から該ベース部２８の軸線方向に伸びる形状をなす円柱状の軸部２９と、ベース部２８の外周部から軸部２９と同方向に同軸をなして突出する円筒部３０とを有しており、軸部２９の中心を通る断面形状がＥ字型をなしている。この芯部材２６は、比透磁率が１００〜２００００の高い材料からなっており、具体的には、スーパーマロイ、パーマロイおよびケイ素鋼に代表される金属磁芯や、Ｍｎ−Ｚｎ系フェライトおよびＮｉ−Ｚｎ系フェライトに代表される酸化物磁芯や、カーボニル鉄ダスト、モリブデンパーマロイおよびセンダストに代表される圧粉磁芯等からなっている。
【００３９】
そして、芯部材２６には、読取側アンテナコイル３１が軸部２９の周りに巻かれ、その結果、読取側アンテナコイル３１は、該軸部２９の中心軸線にその中心軸線を沿わせている。このように軸部２９に巻かれることで、読取側アンテナコイル３１は、比透磁率の高い芯部材２６に巻かれていることになる。
【００４０】
上記データキャリア読書装置１３のアンテナ部２４を使用してデータキャリア１１の情報を読み書きする際には、該アンテナ部２４の読取側アンテナコイル３１の巻かれた軸部２９を、印刷用シリンダ１２の凹部１７の開口部に対向させることにより、読取側アンテナコイル３１を凹部１７内のデータキャリア１１に対向させるとともに、読取側アンテナコイル３１の軸線とデータキャリア１１の記憶側アンテナコイル１９の軸線とを合わせる。そして、電磁誘導方式でデータキャリア１１に記憶された情報を読み取ったり、情報を書き換えたりする。すなわち、上記状態のアンテナ部２４の読取側アンテナコイル３１を駆動して交流磁界Ｘを発生させ、データキャリア１１の記憶側アンテナコイル１９に誘導起電力を発生させることでチップを駆動し、該チップに記憶された情報を読み取ったり、チップに記憶された情報を書き換えたりする。
【００４１】
以上に述べた参考技術によれば、データキャリア読書装置１３のアンテナ部２４に設けられた読取側アンテナコイル３１が、比透磁率の高い芯部材２６に巻かれているため、金属物である支持軸１６にデータキャリア１１が配置されていても、データキャリア１１の配置位置を浅い位置にせずとも、読取側アンテナコイル３１が発生させる交流磁界Ｘは、該芯部材２６に導かれてデータキャリア１１に十分に到達する。したがって、データキャリア１１の配置位置に制限を生じることなく、信頼性の高い情報の読み取りが可能となる。
【００４２】
しかも、芯部材２６は、読取側アンテナコイル３１が巻かれた軸部２９の中心を通る断面形状がＥ字型をなしており、支持軸１６とで交流磁場の閉回路を形成するようになっているため、このようにＥ字型の芯部材２６に導かれることで、読取側アンテナコイル３１が発生させる交流磁界Ｘは、データキャリア１１にさらに十分に到達する。したがって、データキャリア１１の配置位置に制限を生じることなく、さらに信頼性の高い情報の読み取りが可能となる。
【００４３】
また、金属物である支持軸１６に形成された凹部１７にデータキャリア１１が配置されるため、支持軸１６を他の部材で支持する場合等に該他の部材とデータキャリア１１との干渉を防止できる。すなわち、印刷用シリンダ１２が凹部１７の開口側に挿入される部材で支持されても、支持する部材とデータキャリア１１とが干渉することがないのである。したがって、データキャリア１１が他の部材に干渉し破損してしまうことがなくなる。
【００４４】
さらに、電磁誘導方式でデータを読み書きできるデータキャリア１１が印刷用シリンダ１２に設けられているため、該印刷用シリンダ１２を良好に管理することができる。
【００４５】
加えて、データキャリア１１は、当該データキャリア１１が設けられる印刷用シリンダ１２を他の印刷用シリンダ１２と識別するための識別情報が書き込まれているため、印刷用シリンダ１２をさらに良好に管理することができる。
【００４６】
加えて、チップと記憶側アンテナコイル１９とを耐食性を有する合成樹脂の外装２０に埋め込んでなるため、印刷用シリンダ１２に製版等のための化学処理を行う場合に、データキャリア１１が腐食等の影響を受けて耐久性が悪くなることがない。したがって、耐久性を向上することができる。
【００４７】
本発明の第１実施形態を図２を参照して以下に参考技術との相違部分を中心に説明する。なお、参考技術と同様の部分には同一の符号を付しその説明は略す。
【００４８】
第１実施形態においては、データキャリア読書装置１３のアンテナ部２４の形状が参考技術に対し一部相違している。
【００４９】
すなわち、第１実施形態のアンテナ部２４は、比透磁率の高い芯部材２６の読取側アンテナコイル３１が巻かれた軸部２９の一部が、支持軸１６の凹部１７に挿入可能な形状をなしている。言い換えれば、軸部２９およびその周囲の外装２５は凹部１７に挿入可能に突出しており、この凹部１７に挿入される部分まで読取側アンテナコイル３１が巻かれているのである。つまり、第１実施形態のアンテナ部２４は、図２からも明らかなように、外装２５内に内蔵される比透磁率の高い芯部材２６が、参考技術と同様、円板状のベース部２８と、該ベース部２８の中心から該ベース部２８の軸線方向に伸びる形状をなす円柱状の軸部２９と、ベース部２８の外周部から軸部２９と同方向に同軸をなして突出する円筒部３０とを有しており、軸部２９の中心を通る断面形状がＥ字型をなしている。そして、軸部２９およびその周囲の外装２５が凹部１７に挿入可能に突出している結果、アンテナ部２４は、ベース部２８および円筒部３０を含む対向部２４Ａと軸部２９および読取側アンテナコイル３１を含んで対向部２４Ａから突出する挿入部２４Ｂとを有している。
【００５０】
このような第１実施形態によれば、図２に示すように、アンテナ部２４の挿入部２４Ｂを読取側アンテナコイル３１が巻かれた軸部２９の一部を含んで凹部１７に挿入し、対向部２４Ａを支持軸１６の端面に対向させ、参考技術と同様、読取側アンテナコイル３１の軸線を記憶側アンテナコイル１９の軸線に合わせた状態で、読取側アンテナコイル３１を駆動して交流磁界Ｘを発生させ、記憶側アンテナコイル１９に誘導起電力を発生させることでチップを駆動することになることから、上記参考技術と同様の効果を奏することは勿論、さらに、芯部材２６の読取側アンテナコイル３１が巻かれた一部が、データキャリア１１が配置される金属物である支持軸１６の凹部１７に挿入可能な軸形状をなしているため、芯部材２６の少なくとも読取側アンテナコイル３１が巻かれた一部を凹部１７に挿入することで、芯部材２６および読取側アンテナコイル３１がよりデータキャリア１１に近接することになり、読取側アンテナコイル３１が発生させる交流磁界Ｘは、該芯部材２６に導かれてデータキャリア１１にさらに十分に到達する。
【００５１】
したがって、データキャリア１１の配置位置に制限を生じることなく、さらに信頼性の高い情報の読み取りが可能となる。
【００５２】
本発明の第２実施形態を図３を参照して以下に第１実施形態との相違部分を中心に説明する。なお、第１実施形態と同様の部分には同一の符号を付しその説明は略す。
【００５３】
第２実施形態においては、データキャリア読書装置１３のアンテナ部２４の形状が第１実施形態に対し一部相違している。
【００５４】
すなわち、第２実施形態のアンテナ部２４は、凹部１７の底部近傍まで挿入可能な棒状をなしており、その内部の比透磁率の高い芯部材２６が全体として軸状をなしていて、該軸状の芯部材２６の全長にわたって読取側アンテナコイル３１が巻かれている。つまり、第２実施形態のアンテナ部２４は、全体として軸状をなした比透磁率の高い芯部材２６と、芯部材２６に巻かれた読取側アンテナコイル３１とを合成樹脂製の外装２５内に内蔵することで、凹部１７の底部近傍まで挿入可能な棒状をなしている。
【００５５】
このような第２実施形態によれば、アンテナ部２４を、図３に示すように、読取側アンテナコイル３１が巻かれた芯部材２６の一部を含んで凹部１７に挿入し、参考技術と同様、読取側アンテナコイル３１の軸線を記憶側アンテナコイル１９の軸線に合わせた状態で、読取側アンテナコイル３１を駆動して交流磁界Ｘを発生させ、記憶側アンテナコイル１９に誘導起電力を発生させることでチップを駆動することになることから、上記第１実施形態と同様の効果を奏することは勿論、さらに、アンテナ部２４がよりデータキャリア１１に近接するまで凹部１７に入り込むことができるため、該アンテナ部２４を凹部１７に挿入することで、芯部材２６および読取側アンテナコイル３１をデータキャリア１１に一層近接させることができ、読取側アンテナコイル３１が発生させる交流磁界Ｘは、該芯部材２６に導かれてデータキャリア１１にさらに十分に到達する。
【００５６】
したがって、データキャリア１１の配置位置に制限を生じることなく、さらに信頼性の高い情報の読み取りが可能となる。
【００５７】
本発明の第３実施形態を図４を参照して以下に第１実施形態との相違部分を中心に説明する。なお、第１実施形態と同様の部分には同一の符号を付しその説明は略す。
【００５８】
第３実施形態においては、データキャリア１１が第１実施形態に対し一部相違している。
【００５９】
すなわち、第３実施形態のデータキャリア１１は、データキャリア読書装置１３のアンテナ部２４の読取側アンテナコイル３１と対向配置される記憶側アンテナコイル１９が、軸線方向に短い円柱状の芯部材３３に巻かれている。その結果、記憶側アンテナコイル１９は、該芯部材３３の中心軸線にその中心軸線を沿わせている。
【００６０】
ここで、この芯部材３３も、比透磁率が１００〜２００００程度の高い材料からなっており、具体的には、スーパーマロイ、パーマロイおよびケイ素鋼に代表される金属磁芯や、Ｍｎ−Ｚｎ系フェライトおよびＮｉ−Ｚｎ系フェライトに代表される酸化物磁芯や、カーボニル鉄ダスト、モリブデンパーマロイおよびセンダストに代表される圧粉磁芯等からなっている。
【００６１】
このような第３実施形態によれば、上記第１実施形態と同様の効果を奏することは勿論、さらに、データキャリア読書装置１３の読取側アンテナコイル３１と対向配置される記憶側アンテナコイル１９が、比透磁率の高い芯部材３３に巻かれているため、金属物からなる印刷用シリンダ１２の支持軸１６にデータキャリア１１が配置されていても、データキャリア１１の配置位置を浅い位置にせずとも、読取側アンテナコイル３１が発生させる交流磁界Ｘは、データキャリア１１の芯部材３３に導かれて、記憶側アンテナコイル１９に良好に到達する。したがって、データキャリア１１の配置位置に制限を生じることなく、さらに信頼性の高い情報の読み取りが可能となる。
【００６２】
本発明の第４実施形態を図５を参照して以下に第３実施形態との相違部分を中心に説明する。なお、第３実施形態と同様の部分には同一の符号を付しその説明は略す。
【００６３】
第４実施形態においては、データキャリア１１が第３実施形態に対し一部相違している。
【００６４】
すなわち、第４実施形態のデータキャリア１１は、記憶側アンテナコイル１９が巻かれる円柱状の芯部材３３が、該記憶側アンテナコイル１９の軸線方向に伸びた形状をなしている。具体的には、芯部材３３は、直径よりも軸方向長さの方が長い形状をなしている。
【００６５】
このような第４実施形態によれば、上記第３実施形態と同様の効果を奏することは勿論、さらに、記憶側アンテナコイル１９が巻かれた円柱状の芯部材３３が、該記憶側アンテナコイル１９の軸線方向に伸びた形状をなしているため、芯部材３３および記憶側アンテナコイル１９がより読取側アンテナコイル３１に近接することになり、読取側アンテナコイル３１が発生させる交流磁界Ｘは、芯部材３３に導かれて、記憶側アンテナコイル１９にさらに良好に到達する。したがって、データキャリア１１の配置位置に制限を生じることなく、さらに信頼性の高い情報の読み取りが可能となる。
【００６６】
なお、以上の第１〜第４実施形態においては、データキャリア１１を凹部１７の底面１７ａに接着剤で貼付する場合を例にとり説明したが、データキャリア１１の外周面にオネジを形成するとともに、支持軸１６の凹部１７の底面１７ａ側の内周面にメネジを形成し、データキャリア１１をオネジにおいて凹部１７のメネジに螺合させることで、該データキャリア１１を支持軸１６に対し着脱可能に取り付けてもよい。この場合、データキャリア１１には、工具に係合する凹または凸形状の係合部が形成されることになり、該工具で回転力が入力されて螺合および螺合解除がなされることになる。
【００６７】
このように構成すれば、データキャリア１１に形成されたオネジを支持軸１６の凹部１７のメネジに螺合させることによりデータキャリア１１を支持軸１６に取り付けることになり、また螺合を解除することでデータキャリア１１を支持軸１６から取り外すことができる。したがって、データキャリア１１を確実かつ簡単に金属物である支持軸１６に取り付けることができ、また簡単に支持軸１６から取り外すことができる。なお、データキャリア１１が支持軸１６に対し着脱可能となっているのは、支持軸１６を補修する際に熱処理等が行われることがあるため、データキャリア１１の機能に影響を及ぼすようなこのような補修時に、データキャリア１１を取り外して保護するのである。
【００６８】
また、以上の第１〜第４実施形態においては、データキャリア１１に対し情報の読み取りおよび書き換えを行えるデータキャリア読書装置１３を例にとり説明したが、少なくともデータキャリア１１に対し情報の読み取りのみが行えればよい。
【００６９】
【発明の効果】
以上詳述したように、本発明の請求項１記載のデータキャリア読取装置によれば、アンテナ部に設けられた読取側アンテナコイルが、比透磁率の高い芯部材に巻かれているため、金属物にデータキャリアが配置されていても、データキャリアの配置位置を浅い位置にせずとも、読取側アンテナコイルが発生させる交流磁界は、該芯部材に導かれてデータキャリアに十分に到達する。
【００７０】
したがって、データキャリアの配置位置に制限を生じることなく、信頼性の高い情報の読み取りが可能となる。
【００７１】
また、芯部材の少なくとも読取側アンテナコイルが巻かれた一部が、データキャリアが配置される金属物の凹部に挿入可能な軸形状をなしているため、芯部材の少なくとも読取側アンテナコイルが巻かれた一部を凹部に挿入することで、芯部材および読取側アンテナコイルがよりデータキャリアに近接することになり、読取側アンテナコイルが発生させる交流磁界は、該芯部材に導かれてデータキャリアにさらに十分に到達する。
【００７２】
したがって、データキャリアの配置位置に制限を生じることなく、さらに信頼性の高い情報の読み取りが可能となる。
芯部材は、読取側アンテナコイルが巻かれた軸部の中心を通る断面形状がＥ字型の部分を有しており、該軸部が金属物の凹部に挿入可能であるため、読取側アンテナコイルが発生させる交流磁界は、Ｅ字型の部分に導かれてデータキャリアにさらに十分に到達する。
したがって、データキャリアの配置位置に制限を生じることなく、さらに信頼性の高い情報の読み取りが可能となる。
【００７３】
本発明の請求項２記載のデータキャリア読取装置によれば、アンテナ部に設けられた読取側アンテナコイルが、比透磁率の高い芯部材に巻かれているため、金属物にデータキャリアが配置されていても、データキャリアの配置位置を浅い位置にせずとも、読取側アンテナコイルが発生させる交流磁界は、該芯部材に導かれてデータキャリアに十分に到達する。
したがって、データキャリアの配置位置に制限を生じることなく、信頼性の高い情報の読み取りが可能となる。
また、芯部材の少なくとも読取側アンテナコイルが巻かれた一部が、データキャリアが配置される金属物の凹部に挿入可能な軸形状をなしているため、芯部材の少なくとも読取側アンテナコイルが巻かれた一部を凹部に挿入することで、芯部材および読取側アンテナコイルがよりデータキャリアに近接することになり、読取側アンテナコイルが発生させる交流磁界は、該芯部材に導かれてデータキャリアにさらに十分に到達する。
したがって、データキャリアの配置位置に制限を生じることなく、さらに信頼性の高い情報の読み取りが可能となる。
【図面の簡単な説明】
【図１】  参考技術を概略的に示す断面図である。
【図２】  本発明の第１実施形態を概略的に示す断面図である。
【図３】  本発明の第２実施形態を概略的に示す断面図である。
【図４】  本発明の第３実施形態を概略的に示す断面図である。
【図５】  本発明の第４実施形態を概略的に示す断面図である。
【符号の説明】
１１  データキャリア
１３  データキャリア読書装置（データキャリア読取装置）
１６  支持軸（金属物）
１７  凹部
１９  記憶側アンテナコイル
２２  データキャリア装置
２４  アンテナ部
２６  芯部材
２９  軸部
３１  読取側アンテナコイル
３３  芯部材
Ｘ  交流磁界
【図１】
0003985458.tif 000002
【図２】
0003985458.tif 000003
【図３】
0003985458.tif 000004
【図４】
0003985458.tif 000005
【図５】
0003985458.tif 000006